(57)【要約】【課題】感染症患者の行動履歴情報を収集・管理し、感染症患者と接触があったか否かを知りたい人には、感染症患者のプライバシーを侵害することなく、接触履歴を分析・確認できる、感染症患者行動履歴収集・分析システムを提供する。【解決手段】感染症患者行動履歴収集・分析センター１０１は、公共医療機関端末１０７から感染症患者の行動履歴情報を受信すると、感染症患者行動履歴蓄積情報として格納する手段と、感染症患者行動履歴蓄積情報に基づき視覚化された行動履歴情報を作成する手段と、視覚化された行動履歴情報を公共医療機関端末１０７に返送する手段と、行動履歴情報のなかから、特定された時刻以降の行動履歴を抽出し、感染症患者行動履歴として登録する手段と、感染症患者行動履歴と、公共機関から入手した患者以外の行動履歴蓄積情報、および一般から入手した行動履歴蓄積情報とを比較し、行動履歴の重なりを検証する手段等を備える。【選択図】図１
2011070248.tif 000002
【特許請求の範囲】
【請求項１】
公共医療機関に設置される公共医療機関端末と、感染症患者の行動履歴を収集・分析する感染症患者行動履歴収集・分析センターと、個人情報を管理する個人情報管理センターと、交通機関の運行履歴を収集・管理する交通機関運行履歴収集・管理センターとが、通信網を介して通信自在に接続された感染症患者行動履歴収集・分析システムであって、
公共医療機関端末は、
感染症と診断された患者が所有している行動履歴記録装置が公共医療機関端末に接続されると、行動履歴記録装置から行動履歴記録装置識別番号と、患者の行動履歴が記録された行動履歴情報を抽出する手段と、
抽出した行動履歴記録装置識別番号と行動履歴情報を感染症患者行動履歴収集・分析センターに送信する手段と、
感染症患者行動履歴収集・分析センターより受信した、視覚化された行動履歴情報を参考に、第３者への感染の可能性が生じる特定された時刻および公共交通機関利用状況が入力されると、特定された時刻および公共交通機関利用状況を感染症患者行動履歴収集・分析センターに送信する手段とを備え、
感染症患者行動履歴収集・分析センターは、
公共医療機関端末から行動履歴記録装置識別番号と行動履歴情報を受信すると、
個人情報管理センターに対し、暗号化された行動履歴を復号するための復号化キーを要求し、受信した復号化キーを用いて、行動履歴情報を復号する手段と、
復号化した行動履歴情報を、感染症患者行動履歴蓄積情報として行動履歴データベースに格納する手段と、
感染症患者行動履歴蓄積情報に基づき視覚化された行動履歴情報を作成する手段と、
視覚化された行動履歴情報を公共医療機関端末に返送する手段と、
復号化した行動履歴情報のなかから、特定された時刻以降の行動履歴を抽出し、感染症患者行動履歴として行動履歴データベースに登録する手段と、
行動履歴情報に基づき、交通機関の利用の有無を判定し、利用有りの場合、抽出した行動履歴情報を交通機関運行履歴収集・管理センターに送信する手段と、
交通機関運行履歴収集・管理センターから返送された、利用した交通機関の各種情報である交通機関詳細情報を公共医療機関端末に返送する手段と、
感染症患者行動履歴と、公共機関から入手した患者以外の行動履歴蓄積情報、および一般から入手した行動履歴蓄積情報とを比較し、行動履歴の重なりを検証する手段と、
行動履歴の重なりを判定し、重なり有りの場合、重なり有りと判断した行動履歴記録装置識別番号を抽出し、個人情報管理センターに対し、連絡先情報を収集する手段とを備え、
交通機関運行履歴収集・管理センターは、感染症患者行動履歴収集・分析センターから送信された行動履歴情報と、交通機関運行履歴蓄積情報を照合し、位置情報が重なり合う交通機関の交通機関運行履歴記録装置識別番号を抽出し、交通機関運行履歴記録装置情報から、交通機関運行履歴記録装置識別番号に該当する交通機関詳細情報を抽出する手段と、
抽出した交通機関詳細情報を感染症患者行動履歴収集・分析センターに返送する手段とを備えたことを特徴とする感染症患者行動履歴収集・分析システム。
【請求項２】
前記感染症患者行動履歴収集・分析センターは、公共医療機関端末から感染症患者の施設利用情報、交通機関利用情報を受信すると、利用した施設の施設名称あるいは住所から、その施設の位置情報を求め、行動履歴情報を作成する手段と、
交通機関の利用有りの場合は利用した交通機関の情報を交通機関運行履歴収集・管理センターに送信する手段と、
交通機関運行履歴収集・管理センターから、利用した交通機関の情報に基づき抽出された交通機関詳細情報と運行履歴情報を受信すると、作成した行動履歴情報に、受信した運行履歴情報を追加する手段と、
作成した行動履歴情報を、感染症患者行動履歴として行動履歴データベースに登録する手段とを備えたことを特徴とする請求項２記載の感染症患者行動履歴収集・分析システム。
【請求項３】
公共医療機関に設置される公共医療機関端末と、感染症患者の行動履歴を収集・分析する感染症患者行動履歴収集・分析センターと、個人情報を管理する個人情報管理センターとが、通信網を介して通信自在に接続された感染症患者行動履歴収集・分析システムであって、
公共医療機関端末は、
非感染者が所有している行動履歴記録装置が公共医療機関端末に接続されると、行動履歴記録装置から行動履歴記録装置識別番号と行動履歴情報を抽出する手段と、
抽出された非感染症患者の行動履歴記録装置識別番号と行動履歴情報を感染症患者行動履歴収集・分析センターに送信する手段と、
感染症患者行動履歴収集・分析センターからのパスワード要求に基づきパスワードと個人連絡先を返信する手段と、
感染症患者行動履歴収集・分析センターより視覚化された行動履歴情報を受信する手段とを備え、
感染症患者行動履歴収集・分析センターは、
公共医療機関端末から非感染症患者の行動履歴を受信すると、個人情報管理センターに対して個人情報を要求する手段と、
個人情報管理センターから受信した個人情報に認証パスワードが登録されているか否かを判定し、登録無しの場合は公共医療機関端末にパスワードを要求する手段と、
公共医療機関端末から返信されたパスワードと個人連絡先を個人情報管理センターに送信する手段と、
公共医療機関連絡先を個人情報管理センターに送信する手段と、
個人情報管理センターから受信した個人情報に含まれる復号化キーを用いて、行動履歴情報の暗号化されている位置情報を復号し、復号化した行動履歴情報を、公共機関から入手した患者以外の行動履歴蓄積情報として行動履歴データベースに格納する手段と、
感染症患者行動履歴を検索し、復号化した行動履歴情報との重なりを評価する手段と、
行動履歴に重なり有りと判断した場合は、感染症患者との接触の可能性のある行動履歴を、視覚化された行動履歴情報として作成する手段と、
視覚化された行動履歴情報を公共医療機関端末に返送する手段とを備えたことを特徴とする感染症患者行動履歴収集・分析システム。
【請求項４】
個人が操作する個人端末と、感染症患者の行動履歴を収集・分析する感染症患者行動履歴収集・分析センターと、個人情報を管理する個人情報管理センターとが、通信網を介して通信自在に接続された感染症患者行動履歴収集・分析システムであって、
個人端末は、
個人の行動履歴記録装置が接続されると、行動履歴記録装置識別番号と個人の行動履歴情報を行動履歴記録装置から抽出する手段と、
抽出された行動履歴記録装置識別番号と行動履歴情報を感染症患者行動履歴収集・分析センターに送信する手段とを備え、
感染症患者行動履歴収集・分析センターは、
個人端末から、行動履歴記録装置識別番号と行動履歴情報を受信すると、個人情報管理センターに対して個人情報を要求する手段と、
個人情報管理センターから、個人情報を受信すると、その中に認証パスワードが登録されているか否かを判定し、登録有りの場合、認証パスワードの入力を個人端末に要求する手段と、
個人端末に入力された認証パスワードが返信されると、返信された認証パスワードと、個人情報管理センターから受信した認証パスワードとを比較する手段と、
認証パスワードが一致すると、個人情報に含まれる復号化キーを用いて、行動履歴情報の暗号化されている位置情報を復号し、復号化した行動履歴情報のなかから、認証パスワード登録時刻以後に登録された位置情報のみを格納対象として、一般から入手した行動履歴蓄積情報として行動履歴データベースに格納する手段と、
行動履歴データベースに格納された感染症患者行動履歴を検索し、復号化した行動履歴情報との重なりを評価する手段と、
行動履歴の重なり有りと判断されると、視覚化された行動履歴情報として作成する手段と、
視覚化された行動履歴情報を個人端末に返送する手段とを備えたことを特徴とする感染症患者行動履歴収集・分析システム。
【請求項５】
前記感染症患者行動履歴収集・分析センターは、
個人情報管理センターから受信した個人情報に認証パスワードが登録されていない場合、あるいは、個人情報管理センターから収集した認証パスワードと個人端末から返信された認証パスワードとが一致しない場合、個人端末に対し認証パスワードの新規登録を要求する手段と、
個人端末から認証パスワードと個人連絡先を受信すると、個人情報管理センターに対して認証パスワードと個人連絡先を送信する手段と、
個人情報管理センターから認証パスワードと個人連絡先の設定終了を受信すると、個人端末に対し、現時点以降の行動情報が参照できるようになったことを返信する手段と、
個人情報管理センターから受信した復号化キーを用いて、行動履歴情報の暗号化されている位置情報を復号する手段と、
行動履歴データベースに格納された感染症患者行動履歴を検索し、復号化した行動履歴情報との重なりを評価する手段と、
行動履歴の重なり有りと判断されると、感染症患者との接触の可能性があることを個人端末に送信する手段とを備えたことを特徴とする請求項４記載の感染症患者行動履歴収集・分析システム。
【発明の詳細な説明】
【技術分野】
【０００１】
本発明は、鳥インフルエンザのように、大規模な流行の可能性がある感染症に感染した患者に関する行動履歴を収集・管理し、感染症患者に対する積極的疫学調査を支援するとともに、感染症患者と接触があったか否かを確認したい個人あるいは医療機関に対し、患者のプライバシーを侵害することなく接触履歴を分析・確認できる、感染症患者行動履歴収集・分析システムに関するものである。
【背景技術】
【０００２】
わが国においては、「感染症の予防及び感染症の患者に対する医療に関する法律（感染症新法）」に基づき、感染症の予防と拡大防止、さらには国民に正確な情報を提供することを目的として、感染症に関する情報の収集および公表、感染症の発生状況および動向の把握そしてその原因の調査として医師の届け出に基づく感染症サーベイランスシステム（感染症発生動向調査システム）が強化されてきている。また感染症新法においては、積極的疫学調査（感染症の発生状況、動向および原因の調査）の規定が設けられており、患者の基本情報（氏名、住所、年齢、職業等）のほかに、患者の行動に関する詳細な情報の把握と接触者のリストアップ、公共交通機関・集団利用施設を利用した場合などは、利用日・利用時間帯・利用場所などの詳しい聞き取りなどが実施され、サーベイランスシステムで収集・管理される。尚、システムのデータは個人情報を含むため、ユーザ毎にアクセス権を設定して利用者の限定がなされている。
【０００３】
特許文献１に記載の、感染症伝播解析システム及びその伝播シミュレーションシステムには、複数の感染症発症者に関する住所と行動経路の行動情報、発症時刻情報、発症者情報を含む発症状況情報がデータベース化されて格納される発症状況格納手段を有し、地図情報とを関連付けて分析し、複数の発症者に係る行動経路が重なる場合に、感染伝播地と特定するシステムが提案されている。感染症の発症者に関する詳細な発症状況情報は、定点観測所である医療機関から取得することが発明の実施の形態で記載されている。
【０００４】
特許文献２に記載の、双方向通信ネットワークによる医療情報提供・取得システム及び方法並びにコンピュータプログラムには、患者データを秘匿性を確保しながら統計情報として容易かつ確実に作成して収集・保管するシステムが提案されている。
特許文献３に記載の、行動履歴作成システムおよび行動履歴作成装置並びに行動履歴作成方法には、移動体の位置を行動記録として測定し、この行動記録に基づいて地点名を含む時系列的な行動履歴表を自動作成する行動履歴作成システムが提案されている。
【先行技術文献】
【特許文献】
【０００５】
【特許文献１】特許第３９９５４２４号公報
【特許文献２】特開２００５−４７９０号公報
【特許文献３】特開２００３−３０３７５号公報
【発明の概要】
【発明が解決しようとする課題】
【０００６】
積極的疫学調査で実施される、患者の行動に関する詳細な情報の把握と接触者のリストアップは、主に聞き取り調査により実施されるため、患者の記憶にたよる部分が多く、正確な情報が得られないという問題がある。患者の行動に関する詳細な情報を把握する手段として、いつ、どこにいたかという時系列的な位置情報を行動記録情報として記憶管理する、特許文献３の活用が有効と考えられる。しかしながら、時系列的な位置情報は、接触者のリストアップ時の参考にはなるが、接触者を確実に特定できるものではなく、特に公共の場所での接触者を洗い出すことが容易ではないという問題が残る。
【０００７】
患者の行動記録情報を公表することで、患者との接触の可能性を一般の人から自己申告してもらう方法も考えられるが、患者のプライバシーを侵害する恐れが強いため、積極的疫学調査で収集した患者の行動履歴情報が有効に活用できていないという問題もある。
そこで本発明は、感染症と診断された時に、過去の時々刻々の行動を記録した行動履歴情報を提供し、提供された複数の患者の行動履歴情報を収集・管理し、感染症患者と接触があったか否かを知りたい人には、感染症患者のプライバシーを侵害することなく、接触履歴を分析・確認できる、感染症患者行動履歴収集・分析システムを提供することにある。
【０００８】
以上の現状に鑑み、本発明は、感染症と診断された時に、過去の時々刻々の行動を記録した行動履歴情報を提供し、提供された複数の患者の行動履歴情報を収集・管理し、感染症患者と接触があったか否かを知りたい人には、感染症患者のプライバシーを侵害することなく、接触履歴を分析・確認できる、感染症患者行動履歴収集・分析システムを提供することを目的とする。
【課題を解決するための手段】
【０００９】
上記の課題を解決すべく、本発明は以下の構成を提供する。
請求項１に係る発明は、公共医療機関に設置される公共医療機関端末と、感染症患者の行動履歴を収集・分析する感染症患者行動履歴収集・分析センターと、個人情報を管理する個人情報管理センターと、交通機関の運行履歴を収集・管理する交通機関運行履歴収集・管理センターとが、通信網を介して通信自在に接続された感染症患者行動履歴収集・分析システムであって、
公共医療機関端末は、
感染症と診断された患者が所有している行動履歴記録装置が公共医療機関端末に接続されると、行動履歴記録装置から行動履歴記録装置識別番号と、患者の行動履歴が記録された行動履歴情報を抽出する手段と、
抽出した行動履歴記録装置識別番号と行動履歴情報を感染症患者行動履歴収集・分析センターに送信する手段と、
感染症患者行動履歴収集・分析センターより受信した、視覚化された行動履歴情報を参考に、第３者への感染の可能性が生じる特定された時刻および公共交通機関利用状況が入力されると、特定された時刻および公共交通機関利用状況を感染症患者行動履歴収集・分析センターに送信する手段とを備え、
感染症患者行動履歴収集・分析センターは、
公共医療機関端末から行動履歴記録装置識別番号と行動履歴情報を受信すると、
個人情報管理センターに対し、暗号化された行動履歴を復号するための復号化キーを要求し、受信した復号化キーを用いて、行動履歴情報を復号する手段と、
復号化した行動履歴情報を、感染症患者行動履歴蓄積情報として行動履歴データベースに格納する手段と、
感染症患者行動履歴蓄積情報に基づき視覚化された行動履歴情報を作成する手段と、
視覚化された行動履歴情報を公共医療機関端末に返送する手段と、
復号化した行動履歴情報のなかから、特定された時刻以降の行動履歴を抽出し、感染症患者行動履歴として行動履歴データベースに登録する手段と、
行動履歴情報に基づき、交通機関の利用の有無を判定し、利用有りの場合、抽出した行動履歴情報を交通機関運行履歴収集・管理センターに送信する手段と、
交通機関運行履歴収集・管理センターから返送された、利用した交通機関の各種情報である交通機関詳細情報を公共医療機関端末に返送する手段と、
感染症患者行動履歴と、公共機関から入手した患者以外の行動履歴蓄積情報、および一般から入手した行動履歴蓄積情報とを比較し、行動履歴の重なりを検証する手段と、
行動履歴の重なりを判定し、重なり有りの場合、重なり有りと判断した行動履歴記録装置識別番号を抽出し、個人情報管理センターに対し、連絡先情報を収集する手段とを備え、
交通機関運行履歴収集・管理センターは、感染症患者行動履歴収集・分析センターから送信された行動履歴情報と、交通機関運行履歴蓄積情報を照合し、位置情報が重なり合う交通機関の交通機関運行履歴記録装置識別番号を抽出し、交通機関運行履歴記録装置情報から、交通機関運行履歴記録装置識別番号に該当する交通機関詳細情報を抽出する手段と、
抽出した交通機関詳細情報を感染症患者行動履歴収集・分析センターに返送する手段とを備えたことを特徴とする感染症患者行動履歴収集・分析システムを提供するものである。
【００１０】
請求項２に係る発明は、前記感染症患者行動履歴収集・分析センターは、公共医療機関端末から感染症患者の施設利用情報、交通機関利用情報を受信すると、利用した施設の施設名称あるいは住所から、その施設の位置情報を求め、行動履歴情報を作成する手段と、
交通機関の利用有りの場合は利用した交通機関の情報を交通機関運行履歴収集・管理センターに送信する手段と、
交通機関運行履歴収集・管理センターから、利用した交通機関の情報に基づき抽出された交通機関詳細情報と運行履歴情報を受信すると、作成した行動履歴情報に、受信した運行履歴情報を追加する手段と、
作成した行動履歴情報を、感染症患者行動履歴として行動履歴データベースに登録する手段とを備えたことを特徴とする請求項２記載の感染症患者行動履歴収集・分析システムを提供するものである。
【００１１】
請求項３に係る発明は、公共医療機関に設置される公共医療機関端末と、感染症患者の行動履歴を収集・分析する感染症患者行動履歴収集・分析センターと、個人情報を管理する個人情報管理センターとが、通信網を介して通信自在に接続された感染症患者行動履歴収集・分析システムであって、
公共医療機関端末は、
非感染者が所有している行動履歴記録装置が公共医療機関端末に接続されると、行動履歴記録装置から行動履歴記録装置識別番号と行動履歴情報を抽出する手段と、
抽出された非感染症患者の行動履歴記録装置識別番号と行動履歴情報を感染症患者行動履歴収集・分析センターに送信する手段と、
感染症患者行動履歴収集・分析センターからのパスワード要求に基づきパスワードと個人連絡先を返信する手段と、
感染症患者行動履歴収集・分析センターより視覚化された行動履歴情報を受信する手段とを備え、
感染症患者行動履歴収集・分析センターは、
公共医療機関端末から非感染症患者の行動履歴を受信すると、個人情報管理センターに対して個人情報を要求する手段と、
個人情報管理センターから受信した個人情報に認証パスワードが登録されているか否かを判定し、登録無しの場合は公共医療機関端末にパスワードを要求する手段と、
公共医療機関端末から返信されたパスワードと個人連絡先を個人情報管理センターに送信する手段と、
公共医療機関連絡先を個人情報管理センターに送信する手段と、
個人情報管理センターから受信した個人情報に含まれる復号化キーを用いて、行動履歴情報の暗号化されている位置情報を復号し、復号化した行動履歴情報を、公共機関から入手した患者以外の行動履歴蓄積情報として行動履歴データベースに格納する手段と、
感染症患者行動履歴を検索し、復号化した行動履歴情報との重なりを評価する手段と、
行動履歴に重なり有りと判断した場合は、感染症患者との接触の可能性のある行動履歴を、視覚化された行動履歴情報として作成する手段と、
視覚化された行動履歴情報を公共医療機関端末に返送する手段とを備えたことを特徴とする感染症患者行動履歴収集・分析システムを提供するものである。
【００１２】
請求項４に係る発明は、個人が操作する個人端末と、感染症患者の行動履歴を収集・分析する感染症患者行動履歴収集・分析センターと、個人情報を管理する個人情報管理センターとが、通信網を介して通信自在に接続された感染症患者行動履歴収集・分析システムであって、
個人端末は、
個人の行動履歴記録装置が接続されると、行動履歴記録装置識別番号と個人の行動履歴情報を行動履歴記録装置から抽出する手段と、
抽出された行動履歴記録装置識別番号と行動履歴情報を感染症患者行動履歴収集・分析センターに送信する手段とを備え、
感染症患者行動履歴収集・分析センターは、
個人端末から、行動履歴記録装置識別番号と行動履歴情報を受信すると、個人情報管理センターに対して個人情報を要求する手段と、
個人情報管理センターから、個人情報を受信すると、その中に認証パスワードが登録されているか否かを判定し、登録有りの場合、認証パスワードの入力を個人端末に要求する手段と、
個人端末に入力された認証パスワードが返信されると、返信された認証パスワードと、個人情報管理センターから受信した認証パスワードとを比較する手段と、
認証パスワードが一致すると、個人情報に含まれる復号化キーを用いて、行動履歴情報の暗号化されている位置情報を復号し、復号化した行動履歴情報のなかから、認証パスワード登録時刻以後に登録された位置情報のみを格納対象として、一般から入手した行動履歴蓄積情報として行動履歴データベースに格納する手段と、
行動履歴データベースに格納された感染症患者行動履歴を検索し、復号化した行動履歴情報との重なりを評価する手段と、
行動履歴の重なり有りと判断されると、視覚化された行動履歴情報として作成する手段と、
視覚化された行動履歴情報を個人端末に返送する手段とを備えたことを特徴とする感染症患者行動履歴収集・分析システムを提供するものである。
【００１３】
請求項５に係る発明は、前記感染症患者行動履歴収集・分析センターは、
個人情報管理センターから受信した個人情報に認証パスワードが登録されていない場合、あるいは、個人情報管理センターから収集した認証パスワードと個人端末から返信された認証パスワードとが一致しない場合、個人端末に対し認証パスワードの新規登録を要求する手段と、
個人端末から認証パスワードと個人連絡先を受信すると、個人情報管理センターに対して認証パスワードと個人連絡先を送信する手段と、
個人情報管理センターから認証パスワードと個人連絡先の設定終了を受信すると、個人端末に対し、現時点以降の行動情報が参照できるようになったことを返信する手段と、
個人情報管理センターから受信した復号化キーを用いて、行動履歴情報の暗号化されている位置情報を復号する手段と、
行動履歴データベースに格納された感染症患者行動履歴を検索し、復号化した行動履歴情報との重なりを評価する手段と、
行動履歴の重なり有りと判断されると、感染症患者との接触の可能性があることを個人端末に送信する手段とを備えたことを特徴とする請求項４記載の感染症患者行動履歴収集・分析システムを提供するものである。
【発明の効果】
【００１４】
本発明の感染症患者行動履歴収集・分析システムによれば、時々刻々の位置情報を行動履歴情報として記録する行動履歴記録装置を所有している個人が、感染症に感染していると診断された際、行動履歴記録装置に記録された行動履歴情報を分析して、地図上へのマッピングあるいは行動リスト化といった視覚化をおこなうことで、公共医療機関で実施する積極的疫学調査を支援することができる。
【００１５】
また、公共医療機関あるいは個人から通知される感染症患者以外の行動履歴情報と、前記感染症患者の行動履歴情報を比較し、感染症患者との行動の重なりを評価することで、感染症患者との接触の可能性を早期に知ることができ、感染症の拡大あるいは感染症の早期発見につながるシステムを提供することができる。
【００１６】
更に、個人端末からのアクセスの場合は、個人情報管理センターで管理されている認証パスワードが登録済みで、かつ、個人端末から入力された認証パスワードと一致した場合であっても、認証パスワードが登録された登録時刻以後の行動履歴に対してのみ、個人端末へ情報の提供を行うことにより、認証パスワードが一致した場合であっても、認証パスワードが登録された登録時刻以前の行動履歴に関する情報は個人端末に提供されないため、個人の行動履歴といったプライバシーを保護することができる。
【図面の簡単な説明】
【００１７】
【図１】本発明の感染症患者行動履歴収集・分析システムの全体構成を示す概略図である。
【図２】本発明の行動履歴記録装置の内部構成を概略的に示す機能ブロック図である。
【図３】本発明の行動履歴記録装置の行動履歴情報に記憶されるデータ構造を例示する概略図である。
【図４】本発明の個人情報管理センターで管理される行動履歴記録装置情報に記憶されるデータ構造を例示する概略図である。
【図５】本発明の交通機関運行履歴記録装置の内部構成を概略的に示す機能ブロック図である。
【図６】本発明の交通機関運行履歴記録装置の運行履歴情報に記憶されるデータ構造を例示する概略図である。
【図７】本発明の行動履歴データベースの感染症患者行動履歴蓄積情報に記録されるデータ構造を例示する概略図である。
【図８】本発明の行動履歴データベースの公共機関から入手した患者以外の行動履歴情報に記録されるデータ構造を例示する概略図である。
【図９】本発明の行動履歴データベースの一般から入手した行動履歴蓄積情報に記録されるデータ構造を例示する概略図である。
【図１０】本発明の行動履歴データベースの感染症患者行動履歴に記録されるデータ構造を例示する概略図である。
【図１１】本発明の交通機関運行履歴データベースの交通機関運行履歴蓄積情報に記録されるデータ構造を例示する概略図である。
【図１２】本発明の交通機関運行履歴データベースの交通機関運行履歴記録装置情報に記録されるデータ構造を例示する概略図である。
【図１３】本発明の感染症患者行動履歴収集・分析システムにおいて、感染症と診断された感染症患者の行動履歴情報を、公共医療機関端末から感染症患者行動履歴収集・分析センターに登録する動作を示すシーケンス図である。
【図１４】本発明の感染症患者行動履歴収集・分析システムにおいて、感染症患者が行動履歴記録装置を所有していないケースで、積極的疫学調査で得られた情報をもとに行動履歴情報を作成して、感染症患者行動履歴収集・分析センターに登録する動作を示すシーケンス図である。
【図１５】本発明の感染症患者行動履歴収集・分析システムにおいて、感染症とは診断されなかった人の行動履歴情報を、公共医療機関端末から感染症患者行動履歴収集・分析センターに登録する動作を示すシーケンス図である。
【図１６】本発明の感染症患者行動履歴収集・分析システムにおいて、個人の行動履歴情報を、個人端末から感染症患者行動履歴収集・分析センターに登録する動作を示すシーケンス図である。
【図１７】本発明の感染症患者行動履歴収集・分析システムにおいて、個人の行動履歴情報を、個人端末から感染症患者行動履歴収集・分析センターに登録する際に、認証パスワードが未登録、あるいは認証パスワード誤りの場合の動作を示すシーケンス図である。
【発明を実施するための形態】
【００１８】
以下、実施例を示した図面を参照しつつ本発明の実施の形態を説明する。
尚、上記感染症患者行動履歴収集・分析センター、個人端末、公共医療機関端末、個人情報管理センター、交通機関運行履歴収集・管理センター、行動履歴記録装置および交通機関運行履歴記録装置は、コンピュータであり、上記各手段は、コンピュータのＣＰＵが必要なコンピュータプログラムを読み込んで実行することにより実現される手段であり、そのフローチャート図が図１３乃至図１７である。
【実施例１】
【００１９】
図１〜図１７は、本発明の感染症患者行動履歴収集・分析システムの一実施形態を例示する図であり、これらの図において、同一の符号を付した部分は同一物を表わし、基本的な構成及び動作は同様であるものとする。
図１は、本発明の一実施形態にかかる感染症患者行動履歴収集・分析システムについて、その全体構成を示す概略図である。
図１において、本実施形態の感染症患者行動履歴収集・分析システムは、個人の行動履歴を記録する行動履歴記録装置１０４と、行動履歴記録装置１０４にかかわる個人情報である行動履歴記録装置情報１０６を管理する個人情報管理センター１０５と、交通機関の運行履歴を記録する交通機関運行履歴記録装置１０９と、交通機関運行履歴記録装置１０９にかかわる交通機関情報の管理と交通機関運行履歴記録装置１０９から得られる運行履歴を交通機関運行履歴データベース１１１として管理・収集する交通機関運行履歴収集・管理センター１１０と、感染症患者の行動履歴を収集して地図上へのマッピング、行動リストの作成といった積極的疫学調査を支援する情報の提供と、感染症患者と非感染者との行動履歴の比較による接触可能性の分析を行う感染症患者行動履歴収集・分析センター１０１とから構成される。
個人情報管理センター１０５と、交通機関運行履歴収集・管理センター１１０と、感染症患者行動履歴収集・分析センター１０１とは、通信網１１２を介して通信自在に接続されている。
行動履歴記録装置１０４は、個人端末１０３又は公共医療機関端末１０７に通信自在であり、個人端末１０３および公共医療機関端末１０７も夫々通信網１１２に通信自在に接続されている。
又、交通機関運行履歴記録装置１０９は、交通機関端末１０８に通信自在であり、交通機関端末１０８も通信網１１２に通信自在に接続されている。
【００２０】
感染症患者行動履歴収集・分析センター１０１では、感染症患者の行動履歴、非感染者の行動履歴といった情報を行動履歴データベース１０２として保存している。
図１において、交通機関の運行履歴は、交通機関を運行する事業者等が個別に情報を収集して所有しているケースも多いため、交通機関運行履歴記録装置１０９と交通機関運行履歴収集・管理センター１１０と交通機関運行履歴データベース１１１は、必ずしも必須の構成要素ではない。
【００２１】
図２は、図１の感染症患者行動履歴収集・分析システムの構成要素である、行動履歴記録装置１０４の内部構成を概略的に示す機能ブロック図である。
図２において、行動履歴記録装置１０４は、個々の装置を識別する行動履歴記録装置識別番号２０６と、行動履歴を暗号化して保存するために使用される暗号化キー２０７が割り当てられ、位置を測定する位置測定部２０１と、時刻を測定する時刻測定部２０２と、行動履歴情報２０４を管理する行動履歴管理部２０３と、外部端末との入出力インタフェースである入出力部２０８と、記録装置制御部２０５から構成される。位置測定部２０１は、従来技術である全地球測位システム（GPSシステム）や、携帯電話の基地局、PHSの基地局を利用した位置情報取得システムを用いて構成され、行動履歴記録装置１０４の現在位置を北緯・東経として取得する。時刻測定部２０２では、標準電波を受信して誤差を自動修正する。標準電波を受信できないケースもあるため、すべての行動履歴記録装置１０４とまではいかないが、ほとんどの行動履歴記録装置１０４の時刻を一致させることができる。これにより、複数の行動履歴記録装置１０４で取得した行動履歴情報を「時刻」で比較する際の比較精度を向上させることができる。記録装置制御部２０５では、例えば１分周期で毎分００秒時に、位置測定部２０１で現在位置を測定し、行動履歴管理部２０３を介して行動履歴情報２０４に測定時刻と測定位置を記録する制御を行う。
【００２２】
図３は、図２に示す行動履歴記録装置１０４の行動履歴情報２０４に記憶されるデータ構造を例示する概略図である。
図３において、位置情報３０２は、行動履歴記録装置１０４の位置測定部２０１で測定された位置情報（北緯・東経）を、暗号化キー２０７で暗号化された情報として、測定時刻３０１と対応付けて格納されている。感染症の種類により潜伏機関が異なるが、鳥インフルエンザの場合には、少なくとも１０日間程度の行動履歴情報が蓄積されていることが望ましいと考えられる。このため、最低でも
60(位置情報／時間)＊24(時間)＊10(日)＝14,400(位置情報)
程度の位置情報を保存できる記録容量を有し、サイクリックに上書きされるデータである。
【００２３】
図４は、図１の感染症患者行動履歴収集・分析システムの構成要素である、個人情報管理センター１０５で管理される行動履歴記録装置情報１０６に記録されるデータ構造を例示する概略図である。
図４において、行動履歴記録装置情報１０６は、行動履歴記録装置１０４に付与されている行動履歴記録装置識別番号２０６毎に、行動履歴情報２０４の位置情報３０２を暗号化する暗号化キー２０７および復号化に使用する復号化キー４０１と、所有者本人を識別するために使用する認証パスワード４０２と、認証パスワード４０２が登録された時刻を記憶する認証パスワード登録時刻（年月日時分）４０３と、所有者の個人連絡先４０４と、公共医療機関連絡先４０５とから構成される。
【００２４】
行動履歴記録装置１０４は、電源が投入された時から行動履歴情報２０４の作成を開始する。行動履歴記録装置１０４を所有する個人が、行動履歴情報２０４を参照することは、行動履歴記録装置１０４を紛失した場合の個人情報漏洩を防止するために、暗号化ならびに認証パスワードでガードする構成をとっている。このため、電源を投入する前に個人情報管理センター１０５の行動履歴記録装置情報１０６に、認証パスワード４０２と、個人連絡先４０４を登録しておくことで、個人が操作する個人端末１０３からの行動履歴情報２０４の参照を可能とする。このため、認証パスワード４０２を登録する前、つまりの認証パスワード登録時刻（年月日時分）４０３より前の行動履歴の参照は、本来の所有者か否かを特定できないため、個人端末１０３からの参照はできない構成とする。これに対し、公共医療機関端末１０７といった個人との対面で、個人を特定できる環境にある公共機関の端末からの参照の場合のみ、行動履歴記録装置１０４に格納されているすべての行動履歴情報２０４を参照することを許容する。これにより、行動履歴記録装置１０４の紛失等による行動履歴情報の漏洩を防止することができる。なお、公共医療機関端末１０７からのアクセスか否かは、従来技術である端末認証あるいはユーザ認証により容易に実現できる。
【００２５】
図５は、図１の感染症患者行動履歴収集・分析システムの構成要素である、交通機関運行履歴記録装置１０９の内部構成を概略的に示す機能ブロック図である。
図５において、交通機関運行履歴記録装置１０９は、個々の装置を識別する交通機関運行履歴記録装置識別番号５０４と、位置を測定する位置測定部２０１と、時刻を測定する時刻測定部２０２と、運行履歴情報５０２を管理する運行履歴管理部５０１と、外部端末との入出力インタフェースである入出力部２０８と、記録装置制御部５０３から構成される。位置測定部２０１と時刻測定部２０２と入出力部２０８は、行動履歴記録装置１０４と同一の構成要素である。時刻測定部２０２を同一構成要素とすることで、行動履歴記録装置１０４と交通機関運行履歴記録装置１０９の時刻を一致させることができる。これにより、行動履歴記録装置１０４で取得した行動履歴情報と交通機関運行履歴記録装置１０９で取得した運行履歴情報を「時刻」で比較する際の比較精度を向上させることができる。
本実施例では、交通機関端末１０８を介して交通機関運行履歴記録装置１０９と通信される構成を記載しているが、交通機関運行履歴記録装置１０９のなかに、通信手段を組み込んだ構成としても良い。
【００２６】
図６は、図５に示す交通機関運行履歴記録装置１０９の運行履歴情報５０２に記憶されるデータ構造を例示する概略図である。
図６において、位置情報６０２は、交通機関運行履歴記録装置１０９の位置測定部２０１で測定された位置情報（北緯・東経）が、測定時刻６０１と対応付けて格納されている。感染症患者が交通機関を利用したことが判明したときに、感染症患者の行動履歴と交通機関の運行履歴とを比較して、交通機関を特定するために主に使用するものであり、半日あるいは１日といった、比較的短い周期で交通機関端末１０８を介して、交通機関運行履歴収集・管理センターに通知されることが望ましい。このため、1日程度の情報である
60(位置情報／時間)＊24(時間)＊1(日)＝1,440（位置情報）
程度の位置情報を保存できる記録容量を有し、サイクリックに上書きされるデータである。
【００２７】
図７は、図１の感染症患者行動履歴収集・分析システムの構成要素である、感染症患者行動履歴収集・分析センター１０１で管理される行動履歴データベース１０２の１構成要素である、感染症患者行動履歴蓄積情報７０１に記録されるデータ構造を例示する概略図である。感染症と診断された患者が所有する行動履歴記録装置１０４に保存されている行動履歴情報２０４が、行動履歴記録装置識別番号２０６と対応づけて蓄積される。
【００２８】
図８は、図１の感染症患者行動履歴収集・分析システムの構成要素である、感染症患者行動履歴収集・分析センター１０１で管理される行動履歴データベース１０２の１構成要素である、公共機関から入手した患者以外の行動履歴情報８０１に記録されるデータ構造を例示する概略図である。公共医療機関で感染症か否かの診断を受け、感染症とは診断されなかった非感染者が所有する行動履歴記録装置１０４に保存されている行動履歴情報２０４が、行動履歴記録装置識別番号２０６と対応づけて蓄積される。
【００２９】
図９は、図１の感染症患者行動履歴収集・分析システムの構成要素である、感染症患者行動履歴収集・分析センター１０１で管理される行動履歴データベース１０２の１構成要素である、一般から入手した行動履歴蓄積情報９０１に記録されるデータ構造を例示する概略図である。公共医療機関を経由せず、個人端末１０３から受け取った行動履歴情報２０４が、行動履歴記録装置識別番号２０６と対応づけて蓄積される。
【００３０】
図１０は、図１の感染症患者行動履歴収集・分析システムの構成要素である、感染症患者行動履歴収集・分析センター１０１で管理される行動履歴データベース１０２の１構成要素である、感染症患者行動履歴１００１に記録されるデータ構造を例示する概略図である。感染症患者の行動履歴情報２０４のなかから、第３者への感染の可能性が生じる時刻以降の行動履歴情報を切り出して、感染症患者行動履歴１００１に蓄積される。
【００３１】
図１１は、図１の感染症患者行動履歴収集・分析システムの構成要素である、交通機関運行履歴収集・管理センター１１０で管理される交通機関運行履歴データベース１１１の１構成要素である、交通機関運行履歴蓄積情報１１０１に記録されるデータ構造を例示する概略図である。交通機関端末１０８から受け取った運行履歴情報５０２が、交通機関運行履歴記録装置識別番号５０４と対応付けて格納される。
【００３２】
図１２は、図１の感染症患者行動履歴収集・分析システムの構成要素である、交通機関運行履歴収集・管理センター１１０で管理される交通機関運行履歴データベース１１１の１構成要素である、交通機関運行履歴記録装置情報１２０１に記録されるデータ構造を例示する概略図である。
図１２において、交通機関運行履歴記録装置情報１２０１は、交通機関運行履歴記録装置１０９に付与されている交通機関運行履歴記録装置識別番号５０４毎に、交通機関種別（列車、バス、タクシー等）、運営事業者、交通機関特定情報（路線情報、車両番号等）、連絡先といった交通機関詳細情報１２０２から構成される。
【００３３】
次に、図１３から図１７を参照しながら、上記した本実施形態の感染症患者行動履歴収集・分析システムの動作について説明する。
図１３は、本発明の感染症患者行動履歴収集・分析システムにおいて、公共医療機関で感染症と診断された感染症患者の行動履歴情報を、公共医療機関端末１０７から感染症患者行動履歴収集・分析センター１０１に登録する動作を示すシーケンス図である。
図１３において、公共医療機関で感染症と診断されると、患者が所有している行動履歴記録装置１０４を公共医療機関端末１０７に接続し（ステップ１３０１）、行動履歴記録装置識別番号２０６と行動履歴情報２０４を行動履歴記録装置１０４から抽出する（ステップ１３０２）。ステップ１３０２で抽出された感染症患者の行動履歴（行動履歴記録装置識別番号２０６と行動履歴情報２０４）が感染症患者行動履歴収集・分析センター１０１に報告（送信）される（ステップ１３０３）。感染症患者行動履歴収集・分析センター１０１では、個人情報管理センター１０５に対し、暗号化された行動履歴を復号するための復号化キー４０１を要求する（ステップ１３０３）。個人情報管理センター１０５では、行動履歴記録装置情報１０６を、行動履歴記録装置番号２０６で検索し（ステップ１３０５）、復号化キー４０１を抽出し（ステップ１３０６）、復号化キー４０１を返送する（ステップ１３０７）。
【００３４】
感染症患者行動履歴収集・分析センター１０１では、復号化キー４０１を用いて、行動履歴情報２０４の暗号化されている位置情報３０２を復号し（ステップ１３０８）、復号化した行動履歴情報２０４を、感染症患者行動履歴蓄積情報７０１に格納する（ステップ１３０９）。次に、従来技術を用いて、地図データへのマッピング、行動履歴リスト等の視覚化された行動履歴情報を作成し（ステップ１３１０）、視覚化された行動履歴情報を公共医療機関端末１０７に返送する（ステップ１３１１）。公共医療機関端末１０７では、視覚化された行動履歴情報を参考に、積極的疫学調査を実施し、接触者の洗い出し、あるいは交通機関の利用状況の確認等を実施し（ステップ１３１２）、第３者への感染の可能性が生じる時刻（年月日時分）を、従来の病理調査ならびに積極的疫学調査から特定する（ステップ１３１３）。これら特定した時刻（年月日時分）および公共交通機関利用状況を感染症患者行動履歴収集・分析センター１０１に報告（送信）する（ステップ１３１４）。
【００３５】
感染症患者行動履歴収集・分析センター１０１では、ステップ１３０８で復号化した行動履歴情報２０４のなかから、公共医療機関で特定された「時刻」以降の行動履歴を抽出し、感染症患者行動履歴１００１に登録する（ステップ１３１５）。次に交通機関の利用の有無を判定し（ステップ１３１６）、利用有りの場合、ステップ１３１５で抽出した行動履歴情報を交通機関運行履歴収集・管理センター１１０に通知する（ステップ１３１７）。交通機関運行履歴収集・管理センター１１０では、通知された行動履歴情報と、交通機関運行履歴蓄積情報１１０１を照合し、位置情報が重なり合う交通機関の交通機関運行履歴記録装置識別番号５０４を抽出し（ステップ１３１８）、交通機関運行履歴記録装置情報１２０１から、交通機関運行履歴記録装置識別番号５０４に該当する交通機関詳細情報１２０２（交通機関種別、運営事業者、交通機関特定情報、連絡先）を抽出し（ステップ１３１９）、抽出した交通機関詳細情報１２０２、即ち、利用した交通機関の各種情報を返送する（ステップ１３２０）。
【００３６】
感染症患者行動履歴収集・分析センター１０１は、交通機関運行履歴収集・管理センター１１０から返送された、利用した交通機関の各種情報を公共医療機関端末１０７に返送する（ステップ１３２１）。公共医療機関端末１０７では、利用した交通機関の各種情報をもとに、積極的疫学調査が継続されるが（ステップ１３２２）、感染症患者行動履歴収集・分析センター１０１からの感染症患者行動履歴の登録完了（ステップ１３２３）の通知をもって、行動履歴記録装置１０４の接続を解除する（ステップ１３２３）。
【００３７】
感染症患者行動履歴収集・分析センター１０１では、ひきつづきステップ１３１５で感染症患者行動履歴１００１に登録した情報と、公共機関から入手した患者以外の行動履歴蓄積情報８０１、および一般から入手した行動履歴蓄積情報９０１とを比較し、行動履歴の重なりを検証する（ステップ１３２５）。行動履歴の重なりを判定し（ステップ１３２６）、重なり有りの場合、重なり有りと判断した行動履歴記録装置識別番号２０６を抽出し（ステップ１３２７）、個人情報管理センター１０５に対し、連絡先情報（個人情報）を収集する（ステップ１３２８）。個人情報管理センター１０５では、行動履歴記録装置情報１０６を、行動履歴記録装置識別番号２０６で検索し（ステップ１３２９）、個人連絡先４０４、公共医療機関連絡先４０５を抽出し（ステップ１３３０）、個人連絡先４０４、公共医療機関連絡先４０５を返送する（ステップ１３３１）。感染症患者行動履歴収集・分析センター１０１では、収集した個人連絡先４０４あるいは公共医療機関連絡先４０５に、感染症患者との接触の可能性が判明した旨を連絡（送信）する（ステップ１３３２）。
【００３８】
図１４は、本発明の感染症患者行動履歴収集・分析システムにおいて、感染症患者が行動履歴記録装置１０４を所有していないケースで、積極的疫学調査で得られた情報をもとに行動履歴情報を作成して、感染症患者行動履歴収集・分析センター１０１に登録する動作を示すシーケンス図である。
図１４において、公共医療機関で感染症と診断された患者が行動履歴記録装置１０４を所有していない場合、公共医療機関では積極的疫学調査を実施し、感染症患者の行動履歴の洗い出しを実施し（ステップ１４０１）、施設利用情報（日付、時間、施設名称、住所等）、交通機関利用情報（日付、時間、交通機関名称、利用車両・座席、利用経路等）を感染症患者行動履歴収集・分析センター１０１へ通知する（ステップ１４０２）。感染症患者行動履歴収集・分析センター１０１では、従来技術により、利用した施設の施設名称あるいは住所から、その施設の位置情報（北緯、東経）を求め、行動履歴情報２０４を作成（ただし、位置情報３０２の暗号化は不要）する（ステップ１４０３）。
【００３９】
次に、交通機関の利用有無により分岐し（ステップ１４０４）、利用有りの場合は利用した交通機関の情報を交通機関運行履歴収集・管理センター１１０に通知する（ステップ１４０５）。交通機関運行履歴収集・管理センター１１０では、通知された交通機関利用情報（日付、時間、交通機関名称、利用車両・座席、利用経路等）をもとに、交通機関運行履歴記録装置情報１２０１を検索して、該当する交通機関運行履歴記録装置識別番号５０４と交通機関詳細情報１２０２を抽出し（ステップ１４０６）、さらに、抽出した交通機関運行履歴記録装置識別番号５０４で、交通機関運行履歴蓄積情報１１０１を検索して、該当する装置の運行履歴情報５０２を抽出し（ステップ１４０７）、交通機関詳細情報１２０２と運行履歴情報５０２を返信する（ステップ１４０８）。感染症患者行動履歴収集・分析センター１０１では、ステップ１４０３で作成した行動履歴情報２０４に、ステップ１４０８で返信された交通機関の運行履歴情報５０２を追加する（ステップ１４０９）。
【００４０】
次に、ステップ１４０３、あるいはステップ１４０９で作成した行動履歴情報２０４を、感染症患者行動履歴１００１として行動履歴データベース１０２に登録し（ステップ１４１０）、交通機関詳細情報１２０２を返信する（ステップ１４１１）。公共医療機関では、利用した交通機関の各種情報をもとに、積極的疫学調査を継続する（ステップ１４１２）。感染症患者行動履歴収集・分析センター１０１では、感染症患者行動履歴の登録完了を返送し（ステップ１４１３）、ステップ１４０８で感染症患者行動履歴１００１に登録した情報と、公共機関から入手した患者以外の行動履歴蓄積情報８０１、および一般から入手した行動履歴蓄積情報９０１とを比較し、行動履歴の重なりを検証し、図１３のステップ１３２６以降の処理を実行する（ステップ１４１４）。
【００４１】
図１５は、本発明の感染症患者行動履歴収集・分析システムにおいて、公共医療機関で感染症とは診断されなかったが、感染症患者との接触の可能性の評価あるいは新規感染症患者が発生した場合に、行動履歴の重なりをチェックする目的で感染症患者行動履歴収集・分析センターに行動履歴情報を登録する動作を示すシーケンス図である。
図１５において、公共医療機関で感染症と診断されなかった非感染者が所有している行動履歴記録装置１０４を公共医療機関端末１０７に接続し（ステップ１５０１）、行動履歴記録装置識別番号２０６と行動履歴情報２０４を行動履歴記録装置１０４から抽出する（ステップ１５０２）。ステップ１５０２で抽出された非感染症患者の行動履歴が感染症患者行動履歴収集・分析センター１０１に報告（送信）される（ステップ１５０３）。
【００４２】
感染症患者行動履歴収集・分析センター１０１では、個人情報管理センター１０５に対して個人情報の収集を要求する（ステップ１５０４）。個人情報管理センター１０５では、行動履歴記録装置情報１０６を、行動履歴記録装置番号２０６で検索し（ステップ１５０５）、復号化キー４０１、認証パスワード４０２、認証パスワード登録時刻４０３、個人連絡先４０４、公共医療機関連絡先４０５を抽出し（ステップ１５０６）、個人情報を返送する（ステップ１５０７）。感染症患者行動履歴収集・分析センター１０１では、認証パスワード４０２が登録されているか否かを判定し（ステップ１５０８）、登録無しの場合はパスワードを公共医療機関端末１０７に要求する（ステップ１５０９）。
【００４３】
公共医療機関端末１０７は、要求に基づきパスワードと個人連絡先を返信する（ステップ１５１０）。感染症患者行動履歴収集・分析センター１０１は公共医療機関端末１０７から返信されたパスワードと個人連絡先を個人情報管理センター１０５に通知する（ステップ１５１１）。個人情報管理センター１０５では、行動履歴記録装置情報１０６の、認証パスワード４０２と個人連絡先４０４を設定するとともに、現在時刻を認証パスワード登録時刻４０３に設定し（ステップ１５１２）、設定終了を返信する（ステップ１５１３）。
【００４４】
次に感染症患者行動履歴収集・分析センター１０１は、公共医療機関連絡先を個人情報管理センター１０５に通知し（ステップ１５１４）、個人情報管理センター１０５で、行動履歴記録装置情報１０６の、公共医療機関連絡先４０５に設定し（ステップ１５１５）、設定終了を返信する（ステップ１５１６）。感染症患者行動履歴収集・分析センター１０１では、復号化キー４０１を用いて、行動履歴情報２０４の暗号化されている位置情報３０２を復号し（ステップ１５１７）、復号化した行動履歴情報２０４を、公共機関から入手した患者以外の行動履歴蓄積情報８０１に格納し（ステップ１５１８）、感染症患者行動履歴１００１を検索し、ステップ１５１７で復号化した行動履歴情報２０４との重なりを評価する（ステップ１５１９）。行動履歴に重なり有りと判断した場合は、従来技術を用いて、感染症患者との接触の可能性のある行動履歴を、地図データへのマッピング、行動履歴リスト等の視覚化された行動履歴情報として作成し（ステップ１５２１）、視覚化された行動履歴情報を公共医療機関端末１０７に返送する（１５２２）。公共医療機関端末１０７側では、感染症患者との接触の度合いの評価等に活用し（ステップ１５２３）、行動履歴記録装置１０４の接続を解除する（ステップ１５２４）。
【００４５】
図１６は、本発明の感染症患者行動履歴収集・分析システムにおいて、感染症患者との接触の可能性の評価あるいは新規感染症患者が発生した場合に、行動履歴の重なりをチェックする目的で、個人の行動履歴情報を、個人端末１０３から感染症患者行動履歴収集・分析センター１０１に登録する動作を示すシーケンス図である。
図１６において、個人の行動履歴記録装置１０４を個人端末１０３に接続し（ステップ１６０１）、行動履歴記録装置識別番号２０６と行動履歴情報２０４を行動履歴記録装置１０４から抽出する（ステップ１６０２）。ステップ１６０２で抽出された行動履歴記録装置識別番号２０６と行動履歴情報２０４から成る個人の行動履歴が感染症患者行動履歴収集・分析センター１０１に報告（送信）される（ステップ１６０３）。感染症患者行動履歴収集・分析センター１０１では、個人情報管理センター１０５に対して個人情報の収集を要求する（ステップ１６０４）。個人情報管理センター１０５では、行動履歴記録装置情報１０６を、行動履歴記録装置番号２０６で検索し（ステップ１６０５）、復号化キー４０１、認証パスワード４０２、認証パスワード登録時刻４０３、個人連絡先４０４、公共医療機関連絡先４０５を抽出し（ステップ１６０６）、個人情報を返送する（ステップ１６０７）。
【００４６】
感染症患者行動履歴収集・分析センター１０１では、認証パスワード４０２が登録されているか否かを判定し（ステップ１５０８）、登録有りの場合、認証パスワードの入力を個人端末１０３に要求する（ステップ１６０９）。個人端末１０３に入力された認証パスワードが返信（ステップ１６１０）されると、感染症患者行動履歴収集・分析センター１０１では返信された認証パスワードと、ステップ１６０７で個人情報管理センター１０５から収集した認証パスワード４０２とを比較する（ステップ１６１１）。認証パスワードが一致すると、復号化キー４０１を用いて、行動履歴情報２０４の暗号化されている位置情報３０２を復号し（ステップ１６１２）、復号化した行動履歴情報２０４のなかから、認証パスワード登録時刻４０３以後に登録された位置情報のみを格納対象として、一般から入手した行動履歴蓄積情報９０１に格納する（ステップ１６１３）。これにより、個人認証されていないデータが感染症患者行動履歴収集・分析センター１０１に蓄積されることを防止する。
【００４７】
次に、感染症患者行動履歴１００１を検索し、ステップ１６１２で復号化した行動履歴情報２０４との重なりを評価する（ステップ１６１４）。行動履歴の重なり有りと判断されると、従来技術を用いて、感染症患者との接触の可能性のある位置を、地図データへのマッピング、行動履歴リスト等の視覚化された行動履歴情報として作成し（ステップ１６１６）、視覚化された行動履歴情報を個人端末１０３に返送する（ステップ１６１７）。ステップ１６０８で認証パスワード４０２が登録されていない、あるいはステップ１６１１で認証パスワード不一致の場合は、図１７で説明する動作を実行する。
【００４８】
図１７は、図１６の個人の行動履歴情報を、個人端末１０３から感染症患者行動履歴収集・分析センター１０１に登録する際に、認証パスワードが未登録、あるいは認証パスワード不一致の場合の動作を示すシーケンス図である。
図１７において、感染症患者行動履歴収集・分析センター１０１からの認証パスワードの新規登録要求（ステップ１７０１）に対し、個人端末１０３からの認証パスワードと個人連絡先の返信（ステップ１７０２）を感染症患者行動履歴収集・分析センター１０１で受けると、個人情報管理センター１０５に対して認証パスワードと個人連絡先を通知する（ステップ１７０３）。個人情報管理センター１０５では、行動履歴記録装置情報１０６の、認証パスワード４０２と個人連絡先４０４を設定するとともに、現在時刻を認証パスワード設定時刻４０３に設定し（ステップ１７０４）、設定終了を返信する（ステップ１７０５）。感染症患者行動履歴収集・分析センター１０１は、個人端末１０３に対し、現時点以降の行動情報が参照できるようになったことを返信する（ステップ１７０６）。
【００４９】
次に、復号化キー４０１を用いて、行動履歴情報２０４の暗号化されている位置情報３０２を復号し（ステップ１７０６）、感染症患者行動履歴１００１を検索し、ステップ１６１２で復号化した行動履歴情報２０４との重なりを評価する（ステップ１７０７）。行動履歴の重なり有りと判断されると、感染症患者との接触の可能性があることを個人端末１０３に通知する（ステップ１７０９）。ステップ１７０９で通知される情報は接触の可能性だけであり、接触場所や日時といった個人情報にかかわる部分は、公共医療機関に出向いて、対面でしか入手できないようにすることで、個人情報を保護する。
【００５０】
以上、日本国内で感染症患者行動履歴収集・分析システムを構築することを前提に、発明を実施するための最良の形態を述べてきたが、本システムを世界的規模のシステムに拡大することも容易に実現できる。世界的規模への拡大の一手段として、国ごとに前記感染症患者行動履歴収集・分析システムを構築し、各国のシステム間で情報の相互提供による実現する手段が考えられる。世界的規模への拡大が実現できれば、入国審査あるいは出国審査といった、国境の水際での活用ができ、感染症の世界的広がりのスピードを抑える手段を提供できる。
【産業上の利用可能性】
【００５１】
本発明の感染症患者行動履歴収集・分析システムは、鳥インフルエンザのような大規模な流行の可能性がある感染症の発生時において、感染症に感染した患者に関する行動履歴を収集・管理し、感染症患者に対する積極的疫学調査を支援するとともに、感染症患者と接触があったか否かを確認したい個人あるいは医療機関に対し、患者のプライバシーを侵害することなく接触履歴を分析・確認できるため、感染症の早期発見あるいは早期対策により、感染症の拡大範囲あるいは拡大スピードを抑えるのに有効なシステムとして利用可能である。
【符号の説明】
【００５２】
１０１  感染症患者行動履歴収集・分析センター
１０２  行動履歴データベース
１０３  個人端末
１０４  行動履歴記録装置
１０５  個人情報管理センター
１０７  公共医療機関端末
１１０  交通機関運行履歴収集・管理センター
１１２  通信網
２０４  行動履歴情報
２０６  行動履歴記録装置識別番号
３０２  位置情報
４０１  復号化キー
４０２  認証パスワード
４０３  認証パスワード登録時刻
４０４  個人連絡先
４０５  公共医療機関連絡先
５０２  運行履歴情報
５０４  交通機関運行履歴記録装置識別番号
６０２  位置情報
７０１  感染症患者行動履歴蓄積情報
８０１  患者以外の行動履歴蓄積情報
９０１  一般から入手した行動履歴蓄積情報
１００１  感染症患者行動履歴
１１０１  交通機関運行履歴蓄積情報
１２０１  交通機関運行履歴記録装置情報
１２０２  交通機関詳細情報
【図１】
2011070248.tif 000003
【図２】
2011070248.tif 000004
【図３】
2011070248.tif 000005
【図４】
2011070248.tif 000006
【図５】
2011070248.tif 000007
【図６】
2011070248.tif 000008
【図７】
2011070248.tif 000009
【図８】
2011070248.tif 000010
【図９】
2011070248.tif 000011
【図１０】
2011070248.tif 000012
【図１１】
2011070248.tif 000013
【図１２】
2011070248.tif 000014
【図１３】
2011070248.tif 000015
【図１４】
2011070248.tif 000016
【図１５】
2011070248.tif 000017
【図１６】
2011070248.tif 000018
【図１７】
2011070248.tif 000019